【事件の表示】
　平成　７年特許願第　５２９７５号「情報編集方法及び装置」拒絶査定不服審判事件〔平成　８年　９月２７日出願公開、特開平　８−２４９８６４〕について、次のとおり審決する。
【結　論】
　本件審判の請求は、成り立たない。
【理　由】
１．手続の経緯・本願発明
　本願は、平成７年３月１３日の出願であって、その請求項１〜３に係る発明は、平成１７年１２月２日付けの手続補正書で補正された明細書の特許請求の範囲の請求項１〜３に記載された事項により特定されるとおりのものであって、その請求項１に係る発明（以下、「本願発明」という。）は、次のとおりのものである。
　
　
「一の符号化手段により、各情報単位毎に高能率符号化の速度が異なる複数の情報単位に区分された画像情報を当該情報単位毎に高能率符号化して順次供給する符号化工程と、
　前記供給された画像情報に対して複数のフォーマット変換手段により夫々所定の処理を施し、所定のフォーマットに変換するフォーマット変換工程と、
　前記高能率符号化後の新たな情報単位が供給された場合に、前記所定の処理の実行中でない前記フォーマット変換手段を検索し、当該検索されたフォーマット変換手段に当該新たな情報単位に対する前記所定の処理を施させる制御工程と、
　前記所定のフォーマットに変換された夫々の前記画像情報の内容を夫々検査する検査工程と、
　を備えたことを特徴とする情報編集方法。」
　
　
２．引用例に記載された発明
１）第１引用例
　これに対して、当審において通知した拒絶の理由で引用された特開平１−９４５８３号公報（以下、「第１引用例」という。）には、図面とともに次の技術事項が記載されている。
（ａ）
「画像，音声，文字その他の情報を外部から入力する入力手段と、入力された情報をその属性に応じて所定の形式にデータ圧縮その他の変換処理を行う第１の変換処理手段と、上記入力または変換処理された情報を記憶する第１の記憶手段と、上記第１の記憶手段に記憶された情報を所定のファイル様式への編集，加工を行い、または編集した情報の再生手順もしくは編集段階での模擬再生の手順を作成する編集手段と、上記編集手段で編集，加工された情報を記憶する第２の記憶手段と、編集段階もしくは再生段階で上記第１または第２の記憶手段に記憶された情報の一部を抽出する情報抽出手段と、上記再生手順に基づいて上記第１または第２の記憶手段に記憶された情報もしくは上記情報抽出手段で抽出された情報の模擬再生を行ない、編集した情報や再生手順の内容，動作を確認する再生手段と、上記再生手段を用いた再生結果によって、上記編集手段で作成された再生手順もしくは情報の内容の不具合点を修正し、これらを外部に出力する形態に変換する第２の変換処理手段と、上記第１または第２の記憶手段に記憶された情報を外部に出力する出力手段と、上記各手段を結合する結合手段と、上記各手段の動作を制御する制御手段とを具備してなる情報編集装置。」（特許請求の範囲（１）の記載）
　
（ｂ）
「産業上の利用分野
　本発明は、画像，音声，文字その他大量の情報を入力し、編集，加工を行って指定した形態でその内容を出力する情報編集装置に関するものである。」（公報第１頁右下欄第１８行〜同第２頁左上欄第２行）
　
（ｃ）
「第１図において、１は画像，音声，文字，検索プログラムなどの再生手順その他の情報を外部から入力する入力手段、２は入力手段１で入力された情報を予め定めた形式にデータ圧縮その他の変換処理を行う第１の変換処理手段、３は入力手段１で入力または第１の変換処理手段２で変換された情報や付加されたその属性を表すデータを記憶する第１の記憶手段、４は第１の記憶手段３に記憶された情報をファイル化等媒体作成や再生のために必要な編集，加工を行ったり検索プログラムなど実際の再生手順もしくは編集過程での模擬再生の手順を作成，付加する編集手段、５は編集手段４で編集，加工された情報を記憶する第２の記憶手段、６は第１また第２の記憶手段３，５に記憶された編集，加工された情報を再生手順にもとづいて模擬再生する再生手段、７は編集手段で作成された再生手順もしくは編集，加工された情報を、模擬再生の結果にもとづき最終的な外部に出力する形態に変換する第２の変換処理手段、８は上記第１または第２の記憶手段３，５に記憶された情報ファイルの内容の一部を模擬再生のために抽出する情報抽出手段、９は上記第１または第２の記憶手段３，５に記憶された情報ファイルや上記再生手順を外部に出力するための出力手段、１０は上記各手段１〜９と制御手段１１を結合する結合手段、１１はこれらの各手段の動作を制御する制御手段である。」（公報第４頁左下欄第１５行〜同第５頁左上欄第１行）
　
（ｄ）
「第２図において、２１は装置全体の働きを制御するＣＰＵ、２２は装置の各構成部分を接続するシステムパス、２３は各種の画像情報を編集または入力する画像入力装置、２４は音声情報を入力する音声入力装置、２５は入力もしくは記憶された情報を編集、加工したり、再生手順を指示するプログラムを作成したり、編集過程での模擬再生の指示を行う編集装置、２６は入力された情報を信号圧縮その他の変換，処理を行い、模擬再生の結果によって再生手順や編集、加工された情報の内容の修正や、最終的な出力形態への変換を行う変換処理装置、２７はＨＤＤ３２などに記憶された情報の中から、その内容の一部を抽出する情報抽出装置、２８は画像情報を出力する画像出力装置、２９は音声情報を出力する音声出力装置、３０はユーザが命令や文字情報などの入力など実際の操作を行う表示装置３０ａとキーボード３０ｂからなる操作装置、３１は各種の情報を印刷物のような形態で出力するプリンタ、３２は入力、変換処理または編集された大量の情報を記憶する記憶装置としてのＨＤＤ、３３は大量のデータ化された情報の入出力や記憶装置に記憶されたデータのバックアップを行う磁気テープ装置（以下ＭＴ装置という）、３４はＨＤＤ３２に記憶された情報を指定された最終的なデータ形態でマスターテープなどの形で出力する出力手段としてのプリマスタリング装置、３５は装置の主記憶装置（以下ＲＡＭという）、３６〜４７はシステムバス２２と各々の装置を接続するＩ／Ｆである。」（公報第５頁左上欄第２行〜同右上欄１０行）
　
（ｅ）
「以上のように構成された本発明の情報編集装置の一実施例について、第２図を用いてその動作を説明する。
　第２図に示す本発明の第１の実施例の情報編集装置を用いて、まず画像，音声，文字などから構成された。例えば動物図鑑を作成する場合について説明する。
　動物の姿や生態を示す写真のような自然画の画像情報は、ＴＶカメラのような撮像装置により画像信号に変換され画像入力装置２３に送られ、ディジタル化され、素材レベルでの画像処理、編集を行ってＩ／Ｆ３６，４５を経てＨＤＤ３２に記憶される。グラフやアニメーションなどは予め外部の装置で作成され画像入力装置２３から入力され、または画像入力装置２３の作画機能を用いて作成され同様にＨＤＤ３２に記憶される。動物の鳴き声や説明のナレーションのような音声情報は、予め記録された媒体からテープレコーダの様な再生装置により音声信号に変換されて音声入力装置２４に送られ、アナログ信号はディジタル化されて、Ｉ／Ｆ３７，４５を経てＨＤＤ３２に記憶される。・・・（中略）・・・。ＨＤＤ３２に記憶される情報の中でデータ圧縮など変換，処理が必要なものはＩ／Ｆ４５，３９を経て変換処理装置２６に送られ、所定の形式への変換，処理（例えば画像情報ではＹＵＶ変換、音声情報ではＡＤＰＣＭ変換（８Ｂｉｔ，４Ｂｉｔ）など）を行いＩ／Ｆ３９，４５を経て変換済素材データファイルとしてＨＤＤ３２に記憶される。この変換，処理は入力された情報を直接変換，処理しても、−旦ＨＤＤ３２に記憶してから変換，処理を行ってもよい。・・・（中略）・・・またその作業に対応して、編集装置２５では、画像，音声，文字その他の情報を収めた個々のデータファイルが、そのファイルの属性，種類，記録媒体上の配置、同期させる他のデータファイルとの組合せなどにより、データの１単位毎のまとめ（ブロック化）、他のデータファイルとの重ね合わせ（インターリーブ）などの編集，加工が行われ、Ｉ／Ｆ３８，３９を経て、変換処理装置２６で記録媒体で定められた一定の書式（ＦＯＲＭＡＴ）に変換され、Ｉ／Ｆ３９，４５を経てＨＤＤ３２に記憶される。」（公報第５頁右上欄第１１行〜同第６頁右上欄第７行）
　
（ｆ）
「編集、加工されたデータファイルはその内容が正しく変換され、定められた再生手順通りに正確に再生できるか否かを検討、確認するために画像出力装置２８、音声出力装置２９、ＨＤＤ３２、ＣＰＵ２１、情報抽出装置２７、操作装置３０等によって構成された再生手段としての模擬再生装置が用いられる。
　模擬再生装置の動作を次に説明する。外部から入力または編集装置２５で作成され、上記データファイルの再生手順を定めたプログラムファイルはＨＤＤ３２からＩ／Ｆ４５を経てＲＡＭ３５に記憶され、ＣＰＵ２１により模擬再生の指示、制御が行われる。プログラムファイルで予め定めた手順に従って個々のデータファイルはＨＤＤ３２からＩ／Ｆ４５，４１，４２を経て画像出力装置２８、音声出力装置２９へ送られ、データファイルの内容を復調し、画像，文字，音声などの元の情報を模擬的に再生し出力する。このことによりこれらの装置を用いてＨＤＤ３２に記憶されたデータファイルを用いてそれが最終的な形態の記録媒体に記録されたデータを再生しているのを想定した形で模擬再生を行うことができ、音声信号の実時間再生，画像と音声の組合せ，再生タイミングの良否などを実際に目や耳で比較的容易に確認できる。これは例えば動物図鑑の場合、個々の動物を検索すると、指定した動物が間違いなく検索でき、その写真や解説，鳴き声などが指定した順序、タイミングで正しく再生できるかどうかを繰り返して何度も検討，確認でき、効率的にファイルの編集を行うことが出来る。」（公報第６頁右上欄第１４行〜同右下欄第３行）
　
（ｇ）
「なお、本実施例では入力された情報のデータ圧縮やファイルデータの変換、模擬再生の結果に基づいた再生手順もしくは情報の修正などの変換処理手段として変換処理装置２６を用いているが、この機能を各々の画像入力装置２３、音声入力装置２４、編集装置２５で行ってよい。この場合は専用の変換処理装置２６が不要になる。」（公報第８頁左下欄第１８行〜同右下欄第４行）
　
　上記記載事項及び図面の記載を総合勘案すると、結局、上記第１引用例には、次の発明が記載されている。
　
「画像，音声，文字その他の情報を外部から入力する工程と、
　入力された情報をその属性に応じて所定の形式にデータ圧縮その他の変換処理を行う第１の変換処理手段により処理する工程と、
　上記入力または変換処理された情報を記憶する第１の記憶手段と、上記第１の記憶手段に記憶された情報を所定のファイル様式への編集、加工を行い、または編集した情報の再生手順もしくは編集段階での模擬再生の手順を作成する編集手段により編集する工程と、
　上記編集手段で編集、加工された情報を記憶する第２の記憶手段に記憶する工程と、
　編集段階もしくは再生段階で上記第１または第２の記憶手段に記憶された情報の一部を抽出する情報抽出手段と、上記再生手順に基づいて上記第１または第２の記憶手段に記憶された情報もしくは上記情報抽出手段で抽出された情報の模擬再生を行なう工程を具備してなる
　情報編集方法。」
　
　
３．対　比
　
　本願発明と上記第１引用例に記載された発明とを対比する。
　
　第１引用例に記載された発明における「入力された情報をその属性に応じて所定の形式にデータ圧縮その他の変換処理を行う第１の変換処理手段により処理する工程」とは、入力された画像，音声，文字その他の情報を圧縮する行程であるから、第１引用例に記載された発明における「第１の変換処理手段」が本願発明の「符号化手段」に相当し、また、第１引用例に記載された発明と本願発明では「一の符号化手段により、画像情報を高能率符号化して順次供給する符号化工程」で共通する。
　
　本願発明は、「符号化工程」において各情報単位毎に高能率符号化の速度が異なるものであり、そのために「符号化工程」と「フォーマット変換工程」が同時に行えず、符号化工程の後に一旦ハードディスクに情報が記憶されることを前提とするもので、本願発明における「符号化工程」に対応する実施例の記載である明細書の段落【００２８】にも、「ステップＳ１２で、・・・プログラム１の再生が完了すると、システムコントローラ４は編集ユニットＥＵ１のパーソナルコンピュータ１１にフォーマットの指示を出す（ステップＳ１３）。編集ユニットＥＵ１のパーソナルコンピュータ１１は、ハードディスク１２に格納されたプログラム１の符号化画像信号を読出し、マスターディスクに格納するために所定の形式に変換する。・・・」とあるように、「フォーマット変換工程」にはハードディスクからの情報の読み出しも含まれると認められる。
　従って、第１引用例に記載された発明における「上記入力または変換処理された情報を記憶する第１の記憶手段と、上記第１の記憶手段に記憶された情報を所定のファイル様式への編集、加工を行い、または編集した情報の再生手順もしくは編集段階での模擬再生の手順を作成する編集手段により編集する工程」は、映像情報等を圧縮処理した情報を第１の記憶手段から読み出し記録媒体で定められた一定に形式に変換する工程であるから、第１引用例に記載された発明と本願発明では「供給された画像情報に対してフォーマット変換手段により夫々所定の処理を施し、所定のフォーマットに変換するフォーマット変換工程」で共通する。
　
　第１引用例に記載された発明における「編集段階もしくは再生段階で上記第１または第２の記憶手段に記憶された情報の一部を抽出する情報抽出手段と、上記再生手順に基づいて上記第１または第２の記憶手段に記憶された情報もしくは上記情報抽出手段で抽出された情報の模擬再生を行なう工程」は、模擬再生を行い編集した情報や再生手順の内容，動作を確認する工程であるから、本願発明における「所定のフォーマットに変換された夫々の前記画像情報の内容を夫々検査する検査工程」に相当する。
　　
　そうすると、本願発明と第１引用例に記載された発明とは、次の点で一致する。
　一致点
　
「一の符号化手段により、画像情報を高能率符号化して順次供給する符号化工程と、
　前記供給された画像情報に対してフォーマット変換手段により夫々所定の処理を施し、所定のフォーマットに変換するフォーマット変換工程と、
　前記所定のフォーマットに変換された夫々の前記画像情報の内容を夫々検査する検査工程と、
　を備えたことを特徴とする情報編集方法。」
　
　一方、次の各点で相違する。
　
（相違点１）
　符号化工程における高能率符号化が、本願発明では各情報単位毎に高能率符号化の速度が異なる複数の情報単位に区分された画像情報を当該情報単位毎に高能率符号化するものであるのに対して、第１引用例に記載された発明ではこの点が特には示されていない点。　
　
（相違点２）
　フォーマット変換手段が、本願発明では複数あるのに対して、第１引用例に記載されたものでは一つである点。
　
（相違点３）
　本願発明では、高能率符号化後の新たな情報単位が供給された場合に、前記所定の処理の実行中でない前記フォーマット変換手段を検索し、当該検索されたフォーマット変換手段に当該新たな情報単位に対する前記所定の処理を施させる制御工程が存在するのに対して、第１引用例に記載された発明ではこの工程が存在しない点。
　
　
４．当審の判断
　
　そこで、上記各相違点について検討する。
１）相違点１について
　出願人も従来の技術として段落【０００２】〜【０００４】に記載するように、編集装置において編集の単位であるプログラム単位で順次編集処理が行われることは周知の事項（例えば、特開平３−１７３９５３号公報（特に、公報第６頁右下欄第１７行〜同第７頁左上欄第７行）を参照）であり、そして、可変長による高能率符号化においては圧縮に必要な時間は圧縮する際の原画像に含まれる動き成分、輪郭情報の多少により大幅に変動することも周知の事項であるから、第１引用例に記載された発明における第１の変換処理手段がプログラム単位で順次編集を行い、また、可変長で高能率符号化するものとし、各情報単位毎に高能率符号化の速度が異なる複数の情報単位に区分された画像情報を当該情報単位毎に高能率符号化とすることは当業者が容易に想到し得たものである。
　
２）相違点２、及び相違点３について　
　編集装置において複製の能率を上げることは周知の技術課題であり、また、そのために高能率符号より供給される情報を一旦格納するハードディスク等の記憶手段を複数設け、高能率符号化後の新たな情報単位が供給された場合に、フォーマット変換を実行中でない記憶手段を検索し、当該検索された記憶手段に当該新たな情報を記憶させることは周知の技術（例えば、特開平５−１２８０１号公報（特に、段落【００２０】）、特開昭６０−８３１３３号公報（特に、特許請求の範囲の記載）を参照）であり、また、ハードディスク等の記憶手段以降のフォーマット変換工程を行うフォーマット手段を複数設けた記憶手段に合わせて複数設けた方が更に複製の効率が良くなることは当業者であれば当然予想されることであり、さらに、本願発明においても、高能率符号化してフォーマット手段に供給される画像情報は一旦ハードディスクに記憶されるものであり、フォーマト変換手段に併せハードディスクが複数設けられている点を鑑みれば、編集装置における複製効率を上げるために第１引用例においてフォーマット変換手段を複数として、高能率符号化後の新たな情報単位が供給された場合に、前記所定の処理の実行中でない前記フォーマット変換手段を検索し、当該検索されたフォーマット変換手段に当該新たな情報単位に対する前記所定の処理を施させる制御工程を付加することは当業者が容易に想到し得たものである。
　　
　
５．むすび
　
　以上のとおりであって、本願発明は、上記各引用例に記載された発明、及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。